(57)【要約】【課題】足載せ台を備えた児童用回転椅子において、使用者の足の安定性を高めて使い勝手を向上させる。【解決手段】足載せ台１４の本体部１５は、おおまかには左右横長の略長方形であり、前端には直線状部２９が存在して、使用者が左右の足を安定的に載せる得る前後幅を有している。手前のコーナー部２８は丸みを帯びた状態に形成するのが好ましい。前端は左右横長の形態であるため、使用者の左右の足裏が全体的に本体部１５で支持される。このため、足の安定性に優れており、勉強への集中性も助長できる。後端部１５ａを下向きに湾曲させると、上からの荷重に対する強度を向上できる。【選択図】図１
2017169935.tif 000002
【特許請求の範囲】
【請求項１】
床に安定的に載置される基部の中心部から脚支柱を立設し、前記脚支柱にて座を回転自在に支持しており、前記基部又は脚支柱に、使用者が着座した状態で足を載せる足載せ台を装着している構成であって、
前記足載せ台は、着座した使用者が両足を揃えた状態で左右の足裏を安定的に載せ得るように左右方向に長い前端面を有しており、かつ、足載せ台の左右幅が前記座の左右幅と同じ程度に設定されている、
回転椅子。
【請求項２】
前記足載せ台は平面視で概ね四角形であり、着座者から見て少なくも前側の左右コーナー部は、丸みを帯びた状態又は面取り状にカットされた状態になっている、
請求項１に記載した回転椅子。
【請求項３】
前記足載せ台の後端部は、概ね前記脚支柱の横に位置しており、前記足載せ台の後端部を、後ろ下向き又は後ろ上向きに湾曲又は傾斜させている、
請求項１又は２に記載した回転椅子。
【請求項４】
前記足載せ台の上面に、使用者の足が左右方向と前後方向とのいずれの方向にも滑りにくくするために、突起の群と凹みの群と穴の群のうち一つ又は複数を形成している、
請求項１〜３のうちのいずれかに記載した回転椅子。
【請求項５】
床に安定的に載置される基部の中心部から脚支柱を立設し、前記脚支柱にて座を回転自在に支持しており、前記基部又は脚支柱に、外周を前記脚支柱と略同心の円弧状に形成した足載せ台が、着脱可能に装着されている構成であって、
前記足載せ台は、使用者の両足の足裏全体が載る幅を有している、
回転椅子。
【発明の詳細な説明】
【技術分野】
【０００１】
本願発明は、足載せ台を備えて椅子に関するもので、特に、児童が机とセットで使用する回転椅子（学習机用回転椅子）を好適な対象にしている。
【背景技術】
【０００２】
児童の勉強に好適な机と学習机が多用されており、この学習机とセットで使用される椅子についても、児童用としての工夫が施されている。すなわち、児童は身体が成長していくが、学習机の机上面の高さは一定であることから、机を適正に使用できるように座の高さを設定しておくと、児童が低学年の頃には足が床に届かない現象が生じるため、椅子に高さ調節可能な足載せ台を設けている。
【０００３】
そして、児童用の椅子には左右の脚の間に座を装着した木製タイプと、ガスシリンダより成る脚支柱にて座を回転自在に支持した回転椅子タイプとがあり、このうち回転椅子タイプの足載せ台は、特許文献１，２に開示されているように、平面視で概ね半円状に形成されていて、外周部と内周部との間に広い間隔の空間が空いているものが大半である。
【０００４】
他方、特許文献３には、製図台とセットで使用される椅子として、足載せ台を平面視扇形に形成して、これを脚支柱に回転自在に装着することが開示されている。
【先行技術文献】
【特許文献】
【０００５】
【特許文献１】特許第５４５８６７５号公報
【特許文献２】特許第５７１４９８４号公報
【特許文献３】実公平７−２９９０２公報
【発明の概要】
【発明が解決しようとする課題】
【０００６】
さて、特許文献１，２において足載せ台が平面視円弧状に形成されているのは、足載せ台の平面視姿勢が多少相違しても、使用者が常に足を載せたり、椅子に乗り降りできたりするように配慮したためと云える。
【０００７】
しかるに、椅子に腰掛けた児童が机を使用して勉強などを行う場合、左右の足はやや開き気味で揃えていることが普通であることから、足裏が左右に並んでいるが、従来のリング状の足載せ台では足裏のうち、爪先側や踵側や土踏まず側の一部しか支持できておらず、このため安定性が悪くなることが懸念される。
【０００８】
また、足載せ台の外周部と内周部との間には大きな空間が空いているため、使用者が脛を後ろに曲げて足裏を後ろにずらすと、爪先から空間に落ちてしまうおそれもあった。或いは、使用者が着座状態から腰を浮かせたときに、足先が空間に滑り込んでしまって体のバランスを崩し、転倒してしまうといったことも懸念される。特に、靴下を履いていると滑りやすいため、空間への足先の落ち込み現象が表れやすいと云える。
【０００９】
他方、特許文献３には、製図机用椅子として、板状の足載せ台を平面視扇形に形成するにおいて、外周の長さを全周の半分程度まですることが開示されており、この特許文献３では、足載せ台に空間はないため、脛を後ろに曲げても爪先が下方に落ち込むことはないが、外周は円弧状であるため、両足を揃えた普通の姿勢では、爪先が足載せ台から外れる現象を生じて、安定性は必ずしもよくないと云える。
【００１０】
また、特許文献３は、足載せ台の後端部に形成した穴に脚支柱を嵌め入れており、足載せ台を取り付けは、脚支柱（ガスシリンダ）を基部から取り外して行わねばならず、このため、足載せ台の着脱が厄介であり、ユーザーが簡単に取り付けることは難しいという問題もあった。
【００１１】
本願発明は、このような現状を改善することを課題とするものである。
【課題を解決するための手段】
【００１２】
請求項１の発明は、
「床に安定的に載置される基部の中心部から脚支柱を立設し、前記脚支柱にて座を回転自在に支持しており、前記基部又は脚支柱に、使用者が着座した状態で足を載せる足載せ台を装着している構成であって、
前記足載せ台は、着座した使用者が両足を揃えた状態で左右の足裏を安定的に載せ得るように左右方向に長い前端面を有しており、かつ、足載せ台の左右幅が前記座の左右幅と同じ程度に設定されている」、
という構成である。
【００１３】
請求項１の発明は、様々に展開できる。その例として請求項２の発明では、  前記足載せ台は平面視で概ね四角形であり、着座者から見て少なくも前側の左右コーナー部は、丸みを帯びた状態又は面取り状にカットされた状態になっている。
【００１４】
また、請求項３の発明では、請求項１又は２において、前記足載せ台の後端部は、概ね前記脚支柱の横に位置しており、前記足載せ台の後端部を、後ろ下向き又は後ろ上向きに湾曲又は傾斜させている。
【００１５】
また、請求項４の発明では、請求項１〜３のうちのいずれかにおいて、前記足載せ台の上面に、使用者の足が左右方向と前後方向とのいずれの方向にも滑りにくくするために、突起の群と凹みの群と穴の群のうち一つ又は複数を形成している。
【００１６】
請求項５の発明は、特許文献１，２のような円弧状の足載せ台を改良したものであり、この発明では、床に安定的に載置される基部の中心部から脚支柱を立設し、前記脚支柱にて座を回転自在に支持しており、前記基部又は脚支柱に、外周を前記脚支柱と略同心の円弧状に形成した足載せ台が、着脱可能に装着されている構成において、前記足載せ台は、使用者の両足の足裏全体が載る幅を有している。
【発明の効果】
【００１７】
請求項１の発明では、足載せ台はその前端が左右方向に長いため、椅子の使用者が普通に腰掛けて足を左右に揃えた状態で、土踏まずだけが載ったり爪先の一部がはみ出したりするようになことはなくて、左右の足裏を広い範囲で支持できる。従って、使用者は高い安定感を持って椅子を使用できる。また、爪先が空間に落ち込むような空間はないため、脛を後ろに曲げて爪先を足載せ台に当てた状態であっても、足先が空間に落ち込むようなことはなくて足を安定的に支持できるし、中腰になっても左右の足裏を広い範囲で安定よく支持できるため、バランスを崩して倒れるような現象を皆無にすることができる。つまり、床に足を着けているのと同様の高い安定感で椅子を使用できる。このため、使い勝手を格段に向上できる。
【００１８】
着座者が足を広げることもあるが、大きく広げても、脛が座の左右外側にはみ出ることはなくて、脛は座の左右幅の中に納まっている。従って、使用者の足裏も座の左右外側にはみ出ることはないと云える。そして、本願発明では、足載せ台は概ね座の左右横幅と同じ程度の左右幅であるため、使用者が両足を広げても、足裏は足載せ台に載せた状態を保持できる。この面でも、足を安定的に支持する機能に優れている。
【００１９】
使用者が足の姿勢を変えても、足裏が移動する範囲は、左右方向については座の左右幅と同じ程度で、前後方向については、おおよそ脚支柱のあたりまでであると云える。従って、足裏が移動するエリアは平面視で四角形（横長の長方形）になり、足載せ台も、このエリアをカバーするように四角形に形成するのが合理的である。
【００２０】
このように足載せ台を四角形に形成した場合、４つのコーナー部ができるが、前部の左右コーナーが角張っていると、椅子への乗り降りに際して足裏がコーナー部に当てると痛みを感じるおそれがある。また、コーナー部は脚支柱から最も遠いため、脚支柱を脚支柱に取り付けている場合、コーナー部に足を掛けて椅子に乗り降りすると、大きなモーメントが掛かることになり、従って、大きなモーメントを支持できるように頑丈な構造にする必要がある。
【００２１】
この点、請求項２では、手前側のコーナー部は丸みを帯び状態や面取り状態にカットされているため、椅子への乗り降りに際してコーナー部に足を掛けても痛みを感じることはなく、また、脚支柱の軸心からの距離が短くなるため、足載せ台を脚支柱に取り付けていても、モーメントを抑制して構造を簡単化できる。
【００２２】
足載せ台は、その上面の全体を同じ程度の高さに設定してもよいが、請求項３のように後端部を下向き又は上向きに湾曲させると、リブ効果によって足載せ台の堅牢性を向上できる。従って、足載せ台が樹脂製であっても、できるだけ樹脂の使用量を抑制して薄肉化できる。足載せ台の後部を上向きに反らせると、椅子の使用者が脛を後ろに曲げて爪先を足載せ台に当てた場合、足載せ台の後端部が爪先に対するストッパー（滑り止め）になるため、足の姿勢安定性を高めることができる。
【００２３】
請求項４の構成を採用すると、足裏は前後左右のいずれの方向にも滑りにくくなるため、特に、椅子への乗り降りに際しての安全性を格段に向上できると共に、着座状態での足の安定性に高めることができる。使用者が靴下を履いている場合に、特に有益であると云える。
【００２４】
請求項５の発明では、足載せ台には使用者の爪先が落ち込む空間は空いていないため、足の安定性を向上できる。特に、爪先足載せ台に当てて後ろにずらした場合に有益である。そして、足載せ台は脚支柱又は基部に対して着脱可能であるため、取り付け・取り外しは容易であり、足の支持機能に優れた足載せ台を、ユーザー自身が容易に着脱可能になる。
【図面の簡単な説明】
【００２５】
【図１】第１実施形態の全体斜視図である。
【図２】第１実施形態を示す図で、（Ａ）は全体正面図、（Ｂは側面図である。
【図３】図２（Ａ）のIII-III 視断面図であり、（Ａ）は全体を表示した図、（Ｂ）は部分拡大図である。
【図４】（Ａ）は足載せ台とクランプ体との分離斜視図、（Ｂ）は足載せ台を裏返した状態での斜視図である。
【図５】使用者の足との関係を示す平面図である。
【図６】変形例である第２実施形態の側面図である。
【図７】第３実施形態の斜視図である。
【図８】第４実施形態の模式的な平面図である。
【図９】第５実施形態の部分的な縦断側面図である。
【図１０】第６〜１０実施形態の平面図である。
【発明を実施するための形態】
【００２６】
(1).第１実施形態の椅子の概略
次に、本願発明の実施形態を図面に基づいて説明する。まず、図１〜図５に示す第１実施形態を説明する。本願発明では、方向を特定するため前後・左右の文言を使用するが、この前後左右は、椅子に普通に腰掛けた人から見た状態での前後・左右と定義している。正面方向は使用者と対向した方向である。
【００２７】
本実施形態は、児童が学習机とセットで使用する回転椅子に適用している。図１，２のとおり、椅子は、主要要素として、脚装置１と座２と背もたれ３とを有している。脚装置１は、中心筒から５本の枝杆４ａを放射状に延ばした基部４と、基部４の中心筒に嵌着した脚支柱５とを有しており、脚支柱５の上端にベース６を嵌着して、ベース６で座２を支持している。各枝杆４ａの先端にはキャスタ７を設けている。
【００２８】
脚支柱５は、周知のとおりガスシリンダが使用されている。ガスシリンダは、摺動自在に嵌まり合った外筒と内筒とを有しているが、本実施形態では、外筒を基部４に嵌着して、内筒をベース６に嵌着している（逆の場合もある。）。なお、ガスシリンダのロックの解除は、座１の下方に配置した昇降操作レバー９で行われる。
【００２９】
図２（Ｂ）のとおり、ベース６の後部下面６ａは、後ろに向けて高さが高くなる傾斜面になっており、後部下面６ａに前後動可能に装着したスライダー９に左右の背フレーム１０を固定し、背フレーム１０に背もたれ３を取り付けている。また、スライダー９を前後移動させることにより、背もたれ３の上下高さと前後位置とを同時に調節できる。スライダー９の移動調節は、ハンドル１１を緩めてロックを解除して行われる。
【００３０】
脚支柱５には、ガイド筒１２が嵌合しており、ガイド筒１２は、上端に設けた摘み（ロックナット）１３の回転操作により、脚支柱５の外筒を掴持したロック状態と、脚支柱５の外筒に対して回転可能なフリー状態とに切り替えられる。
【００３１】
そして、ガイド筒１２に、足載せ台１４が相対回転不能で高さ調節可能に装着されている。従って、ガイド筒１２が脚支柱５の外筒に対して回転不能に保持されていると、脚装置１の基部４と足載せ台１４との相対的な平面視姿勢が固定されている。脚支柱５を構成するガスシリンダの内筒と外筒とは相対回転可能であるので、座２及び背もたれ３は自在に水平旋回できる。
【００３２】
(2).足載せ台
例えば図４（Ａ）に示すように、足載せ台１４は、平面視で略横長長方形の本体部１５と、本体部１５の後端で左右中間部に設けた後ろ向き開口の抱持部１６とを有しており、抱持部１６とこれに連結したクランプ体１７とにより、ガイド筒１２を掴持している。
【００３３】
すなわち、抱持部１６の一端部にボス１８を形成して、ボス１８にクランプ体１７をピン（ルト）１９によって水平回転自在に連結しており、クランプ体１７のうちピン１０と反対側に位置した部位にボルト挿通穴２０を設けて、ボルト挿通穴２０に挿通したボルト２１を抱持部１６の他端部にねじ込むことにより、ガイド筒１２を抱持して足載せ台１４を所望の高さに保持している。
【００３４】
従って、抱持部１６の他端部には、ボルト２１が螺入するタップ穴２２が空いている。ボルト２１は、レンチなしで操作できるように、人が手で締め込んだり緩めたりできる大径の摘みを有しているのが好ましい。なお、足載せ台１４とクランプ体１７との組み合わせを、足載せ台装置と呼ぶことも可能である。
【００３５】
クランプ体１７の一端部には、ボス１８を上下から挟むフランジ２３を形成しており、また、クランプ体１７の他端部には、指を掛けるリップ２４を設けている。いうまでもないが、ガイド筒１２に対する足載せ台１４の固定手段は、様々な構造を採用できる。例えば、クランプ体１７を回動式にせずに、２本のボルトで抱持部１６に固定することも可能である。
【００３６】
足載せ台１４は樹脂の成形品であり、本体部１５は、既述のとおり、概ね横長長方形の板状構造であり、図４の（Ｂ）のとおり、下向きの外周リブ２５と、抱持部１６から放射状に延びる補強リブ２６とを設けている。このため、板構造であっても、上からの荷重に対して強い抵抗を発揮する。
【００３７】
抱持部１６はある程度の高さを有するが、図２（Ｂ）に明示するように、本体部１５の上面は、その後部を除いて抱持部１６の上面と略同じ高さになっている。また、抱持部１６は本体部１５に向けて手前に食い込んだ状態になっており、そこで、本体部１５の後端は抱持部１６の前後略中間部（脚支柱５の軸心）のあたりまで至っているが、本体部１５のうち、抱持部１６の左右の横に位置した後端部１５ａを後ろ下向きに湾曲させている。従って、本体部１５の後端部１５ａは側面視で下向きに湾曲しており、下端（後端）は抱持部１６の下端に至っている。
【００３８】
このように本体部１５に下向き後端部１５ａを形成していることにより、図４（Ｂ）のとおり、補強リブ２６はその後端部の上下幅が大きくなっている。このため、足載せ台１４の堅牢性が格段に向上している。湾曲した後端部１５ａそれ自体で補強機能を発揮して本体部１５の断面係数が高くなるため、本体部１５自体の強度アップと抱持部１６の堅牢性アップにも貢献している。
【００３９】
足載せ台１４における本体部１５には、滑り止めのための四角形の突起２７を左右方向と前後方向とに整列して形成している。図５に明示するように、突起２７の群は、本体部１５の前後中間部よりも少し後ろまで位置させている。もとより、突起２７の群を本体部１５の全体に形成してもよい。
【００４０】
本体部１５は基本的には横長の長方形であるが、手前側の左右コーナー部２８は、丸みを帯びた状態にかなり大きくカットしている。また、後ろ側の左右コーナー部も丸みを帯びた形状にしている。また、本体部１５が基本的には横長の長方形であることにより、前端面の相当範囲は直線状部２９になっている。
【００４１】
図２（Ａ）に示すように、足載せ台１４の本体部１５は、概ね座２と同じ程度の左右横幅になっている。また、図２（Ｂ）に明示するように、足載せ台１４の前端は座の前端よりも少し手前に突出している。
【００４２】
(3).まとめ
さて、小学生の足の長さは１７〜２４ｃｍ程度であり、床に足が届かない児童（主に低学年の児童）の足のサイズは、１７〜２０ｃｍ程度であると推測される。そこで、図５に表示するように、足載せ台１４のうち湾曲した後端部を除いた平坦部の前後幅を、１９〜２０ｃｍ程度に設定することにより、足載せ台１４を使用する場合、左右の足裏が全体的に足載せ台１４の本体部１５に載るように設定している。図５では、足載せ台１４の本体部１５の前後全幅Ｌ１を２５ｃｍ程度に設定しており、足のサイズＬ２は、１８ｃｍ程度として描いている。
【００４３】
この図５から明瞭に把握できるように、椅子の使用者（児童）が自然な状態で足を揃えた姿勢で、左右の足裏は全面が足載せ台１４に重なっているため、児童は足を違和感なく足載せ台１４で支持できる。このため、児童は、足を床に着けているのと同様の安定感を得ることができるのであり、結果として、勉強への集中力も高めることができる思料される。
【００４４】
また、足載せ台１４と座２とは同じ程度の左右幅であるため、使用者が足を開いても足裏が足載せ台１４から外れることはなくて、使用感に優れている。また、児童が使用するに際して足載せ台１４は，脚装置１の基部４に対する平面視姿勢と高さが保持されており、椅子を所定の位置となるように机の内部に部分的に入り込ませおいて、足載せ台１４に足を掛けて着座したり離席したりすることになる。
【００４５】
従って、椅子への乗り降りに際しては、児童は足を足載せ台１４の手前側のコーナー部２８に掛けることも多いが、コーナー部２８は丸みを持つようにカットされているため、コーナー部２８の縁に足裏が当たっても痛みを感じることはない。また、コーナー部２８は丸みを帯びていることで脚支柱５の軸心からの距離が縮まっているため、コーナー部２８に作用するモーメントをできるだけ小さくすることができる。従って、肉厚を過度に厚くする等の措置を施すことなく、必要な強度を確保できる。
【００４６】
また、突起２７の群によって児童の足は前後にも左右にも滑らないため、椅子への乗り降りに際して滑るようなことはないし、着座状態でもしっかりと足載せ台１４を踏むことができて、高い安定性を確保できる。また、隣り合った突起２７の間は隙間になっているため、通気性にも優れていると云える。
【００４７】
(4).他の実施形態
次に、他の実施形態を説明する。図６に示す第２実施形態では、本体部１５の後端部を側面視で上下二股に分かれた状態に形成しており、従って、下向き後端部１５ａに加えて、上向き後端部１５ｂも設けている。使用者が爪先を後ろにずらした場合、爪先の後ろ向き移動を上向き後端部１５ｂで規制することができる。また、後端部が上部に上下両方に分岐しているため、強度は更にアップする。本体部１５には、上向き後端部１５ｂのみを設けることも可能である。
【００４８】
図７に示す第３実施形態では、足載せ台１４を略半円の板状に形成している。この場合も、足載せ台１４には爪先が入り込む空間はないため、足の安定性も格段に向上できる。
【００４９】
図８に示す第４実施形態では、抱持部１６に支持ブラケット３０を前向き突設して、支持ブラケット３０に、本体部１５を前後位置調節可能に装着している。従って、使用者の体格や好みに応じて、本体部１５の前端の位置を調節することができる。なお、本体部１５は、支持ブラケット３０に対して、例えば蟻溝のような構造で上下左右に抜け不能に嵌まっており、本体部１５は、下方から挿通したビスによって支持ブラケット３０に固定することが可能である。
【００５０】
図９に示す第５実施形態では、足載せ台１４における本体部１５の上面に凹所３１を形成して、凹所にマット３２を嵌め込んでいる。従って、感触に優れていると共に、滑りの防止効果も抜群になる。また、冬でも冷たくないため、勉強に集中できる。マット３２としてヒータ入りのものを使用すると、学習環境を一層良くすることができる。
【００５１】
図１０では、足載せ台１４の本体部１５の形状の別例を表示している。このうち（Ａ）に示す第６実施形態では、本体部１５の前端面３３を、前向きに突に緩く湾曲させている。また、（Ｂ）に示す第７実施形態では、本体部１５の前端面３３の左右中間部に後ろ向きの湾入部３４を形成している。
【００５２】
（Ｃ）に示す第８実施形態では、本体部１５の前端面３３を後ろ向き凹状に緩く凹ませている。更に（Ｄ）に示す第９実施形態では、本体部１５の前部を左右外側に少し張り出させて、２つの円弧状部３５が左右に並んだような形状に設定している。従って、前端面３３は左右中間部が後ろに凹んでいる。（Ｅ）に示す第１０実施形態では、前端面３３を直線状に形成しつつ、本体部１５を手前から後ろに向けて左右幅が広がる台形に形成している。（Ｅ）の場合、手前から後ろに向けて左右幅が狭まる台形に形成することも可能である。
【００５３】
図１０の各例でも、本体部１５は、使用者が左右の足裏をその爪先から踵まで全長に亙って載せ得る面積を有している。従って、前端面３３はいずれも左右方向に長い状態になっており、請求項１の発明に含まれている。
【００５４】
本願発明の実施形態を幾つか説明したが、本願発明は更に様々に具体化できる。例えば請求項２の場合、足載せ台を平面視八角形や六角形、１０角形のような多角形に形成したり、多角形を２つ割りした形状に形成したりすることができる。請求項１の発明では、本体部を左右横長の楕円形や瓢箪形に形成することも可能である。また、前端面が左右長手になっておればよいのであり、後端部の平面視形状は左右長手でなくてもよい。従って、足載せ台は、半円状やカマボコ形に形成して、直線状部を手前に位置した姿勢にすることも可能である。
【００５５】
また、請求項１と請求項５とのいずれにおいても、足載せ台１４には、使用者が違和感を感じない程度の小穴や小突起を多数設けることが可能である。穴の群と突起の群とを併設することも可能である。或いは、縦横の格子状リブを形成することも可能である。更に、本願発明の足載せ台は、脚装置を構成する枝杆で支持することも可能である。
【００５６】
更に、本願発明の椅子は、成人も使用できる。この場合、身長が引く成人が使用する場合と、一般成人が座を高くして使用する場合との両方を含んでいる。後者の例としては、医療施設で看護師が使用するナースチェアが挙げられる。
【産業上の利用可能性】
【００５７】
本願発明は、実際に回転椅子に具体化できる。従って、産業上利用できる。
【符号の説明】
【００５８】
１  脚装置
２  座
３  背もたれ
４  脚装置の基部
４ａ  脚装置の基部を構成する枝杆
５  脚支柱（ガスシリンダ）
１２  ガイド筒
１４  足載せ台
１５  足載せ台の本体部
１５ａ  下向きの後端部
１５ｂ  上向き後端部
１６  足載せ台の抱持部
１７  クランプ体
２７  突起
２８  コーナー部
２９  前端面を構成する直線状部
【図１】
2017169935.tif 000003
【図２】
2017169935.tif 000004
【図３】
2017169935.tif 000005
【図４】
2017169935.tif 000006
【図５】
2017169935.tif 000007
【図６】
2017169935.tif 000008
【図７】
2017169935.tif 000009
【図８】
2017169935.tif 000010
【図９】
2017169935.tif 000011
【図１０】
2017169935.tif 000012